(57)【特許請求の範囲】
【請求項１】
透明な分煙ボード（５）と、該分煙ボード（５）の上縁に取着された第１前後伸縮部材（１）と、上記分煙ボード（５）の下縁に取着された第２前後伸縮部材（２）と、上記第１前後伸縮部材（１）及び第２前後伸縮部材（２）の各固着部（６）の後端を上下連結する縦連結部材（７）と、をもって構成された後付け用分煙板ユニット（４）を備え、隣り合う遊技台の間に介設された間柱（３）には、上下方向に差込スリット（８）が貫設され、かつ、該差込スリット（８）の上端・下端には固着用窓部（９）が形成され、
上記分煙板ユニット（４）を上記間柱（３）の差込スリット（８）に前方から差込むと共に上記固着部（６）を上記固着用窓部（９）に挿入係止して、上記分煙板ユニット（４）を上記間柱（３）に取付けるように構成した分煙構造体であって、
上記固着部（６）の前端部に、コの字型の細孔部（11）によって弾性板部（10）を形成し、該弾性板部（10）は前端部に断面三角形状膨出爪部（12）を有し、かつ、上記固着部（６）の弾性板部（10）より前方に該弾性板部（10）と所定間隔をあけて固定用止め片（13）を有し、上記固着部（６）が上記固着用窓部（９）に挿入されて係止する際、上記分煙板ユニット（４）を移動させると、上記膨出爪部（12）が固着用窓部（９）によって案内されて上記弾性板部（10）を弾性変形させつつ、上記固着用窓部（９）を通過し、上記膨出爪部（12）が上記固着用窓部（９）を通過すると、上記弾性板部（10）は弾性力により元の形状に戻り、上記固定用止め片（13）と上記膨出爪部（12）が上記固着用窓部（９）を挟むように該固着用窓部（９）の表裏に配設されて、上記固着部（６）が上記固着用窓部（９）に係止するように構成したことを特徴とする分煙構造体。
【発明の詳細な説明】
【技術分野】
【０００１】
本発明は、分煙構造体に関する。
【背景技術】
【０００２】
従来、パチンコ台、パチスロ台等の遊技台を並設する場合、隣の人に煙草の煙がいかないようにするために、隣り合う遊技台と遊技台の間に分煙ボードを設けている。この分煙ボードは、遊技台と遊技台の間に介設された間柱に対して前後スライド自在に取着される（例えば、特許文献１参照）。
【０００３】
しかし、間柱と分煙ボードを組み立ててから一体化した状態で遊技台の間に設置するので、設置前の配送時に、間柱と分煙ボードを組み立てたものを梱包するのに多大な手間がかかるという欠点があった。また、設置の際、間柱と分煙ボードとが一体状となっているので、重くて設置しづらく作業性が悪いという欠点があった。
【先行技術文献】
【特許文献】
【０００４】
【特許文献１】特開２００７−１４４１２０号公報
【発明の概要】
【発明が解決しようとする課題】
【０００５】
解決しようとする課題は、間柱と分煙ボードを組み立ててから、遊技台の間に設置するので、設置前の配送時に、間柱と分煙ボードを組み立てたものを梱包するのに多大な手間がかかる点である。また、設置の際、間柱と分煙ボードとが一体状となっているので、重くて設置しづらいという点である。
【課題を解決するための手段】
【０００６】
そこで、本発明に係る分煙構造体は、透明な分煙ボードと、該分煙ボードの上縁に取着された第１前後伸縮部材と、上記分煙ボードの下縁に取着された第２前後伸縮部材と、上記第１前後伸縮部材及び第２前後伸縮部材の各固着部の後端を上下連結する縦連結部材と、をもって構成された後付け用分煙板ユニットを備え、隣り合う遊技台の間に介設された間柱には、上下方向に差込スリットが貫設され、かつ、該差込スリットの上端・下端には固着用窓部が形成され、上記分煙板ユニットを上記間柱の差込スリットに前方から差込むと共に上記固着部を上記固着用窓部に挿入係止して、上記分煙板ユニットを上記間柱に取付けるように構成した分煙構造体であって、上記固着部の前端部に、コの字型の細孔部によって弾性板部を形成し、該弾性板部は前端部に断面三角形状膨出爪部を有し、かつ、上記固着部の弾性板部より前方に該弾性板部と所定間隔をあけて固定用止め片を有し、上記固着部が上記固着用窓部に挿入されて係止する際、上記分煙板ユニットを移動させると、上記膨出爪部が固着用窓部によって案内されて上記弾性板部を弾性変形させつつ、上記固着用窓部を通過し、上記膨出爪部が上記固着用窓部を通過すると、上記弾性板部は弾性力により元の形状に戻り、上記固定用止め片と上記膨出爪部が上記固着用窓部を挟むように該固着用窓部の表裏に配設されて、上記固着部が上記固着用窓部に係止するように構成したものである。
【発明の効果】
【０００７】
本発明の分煙構造体によれば、容易に梱包することができる。また、設置の際、遊技台の間に、まず、間柱を取り付け、その間柱に後から分煙板ユニットを挿入するので、軽量でもあり、簡単に取り付けができ、作業性も良い。すなわち、梱包作業、及び、組立作業を効率的に行うことができ、梱包コスト軽減、及び、作業効率の向上を図ることができる。
【図面の簡単な説明】
【０００８】
【図１】分煙板ユニットの取付け前の間柱と分煙板ユニットを示す斜視図である。
【図２】分煙板ユニットの分解図である。
【図３】分煙板ユニットを間柱に取付ける途中の状態を示す斜視図である。
【図４】分煙板ユニットを間柱に取付けた状態を示す斜視図である。
【図５】固着部を固着用窓部に係止させる前の状態を示す要部側面図である。
【図６】要部端面平面図である。
【図７】固着部が固着用窓部に係止する直前の状態を示す要部端面平面図である。
【図８】固着部が固着用窓部に係止した状態を示す要部端面平面図である。
【図９】分煙板ユニットを取付けた間柱の下側取着部近傍を示す斜視図である。
【図１０】分煙板ユニットの設置状態を示す要部拡大斜視図である。
【図１１】差込み用切欠きと鉛直壁を離間させた状態を示す要部拡大斜視図である。
【発明を実施するための形態】
【０００９】
以下、図示の実施の形態に基づいて本発明を詳説する。
図１・図２は、本発明の実施の一形態を示す。この分煙構造体は、隣り合う遊技台（パチンコ台、パチスロ台等。図示省略。）の間にあらかじめ間柱３を介設し、その後、後付け用分煙板ユニット４を取り付ける（後付けする）ものである。間柱３は、例えば、上部が上間柱取着部材（図示省略）に取着され、下部が下間柱取着部材15（図９〜図11参照）に取着されて、鉛直状に固定される。
【００１０】
後付け用分煙板ユニット４は、透明な樹脂製分煙ボード（分煙板）５と、分煙ボード５の上縁に取着された第１前後伸縮部材１と、分煙ボード５の下縁に取着された第２前後伸縮部材２と、第１前後伸縮部材１及び第２前後伸縮部材２の各固着部６の後端を上下連結する金属製又は樹脂製縦連結部材７と、をもって構成される。
【００１１】
第１前後伸縮部材１は、横断面コ字状レール部材１ａと、レール部材１ａをスライド可能に支持する前後誘導用ガイド部材１ｂとを有する。レール部材１ａ及びガイド部材１ｂは、例えば、金属から成る。第２前後伸縮部材２は、横断面コ字状レール部材２ａと、レール部材２ａをスライド可能に支持する前後誘導用ガイド部材２ｂとを有する。レール部材２ａ及びガイド部材２ｂは、例えば、金属から成る。隣り合う遊技台の間に介設された間柱３には、上下方向に差込スリット８が貫設される。差込スリット８の上端・下端には固着用窓部９が形成される。分煙ボード５の前端縁に沿って補強枠体18が取着される。
【００１２】
図３・図４に示すように、分煙板ユニット４を間柱３の差込スリット８に前方から差込むと共に固着部６を固着用窓部９に挿入係止して、分煙板ユニット４を間柱３に取付けるように構成される。
【００１３】
図５に示すように、固着部６は、前端部に弾性板部10を有する。11はコの字型の細孔部を示す。弾性板部10は断面三角形状膨出爪部12を有する。13は固定用（移動規制用）止め片を示す。
【００１４】
図５〜図８に於て、固着部６が固着用窓部９に挿入された後、係止するまでの状態を順次示す。まず、図５・図６に示す状態から矢印Ａに示す方向に分煙板ユニット４を移動させる。図７に示すように、膨出爪部12が固着用窓部９によって案内されて弾性板部10を弾性変形させつつ、固着用窓部９を矢印Ｂ方向に通過する。膨出爪部12が固着用窓部９を通過すると、図８に示すように、弾性板部10は弾性力により元の形状に戻る。そして、膨出爪部12と固定用止め片13が固着用窓部９を挟むように固着用窓部９の表裏に配設されて、固着部６が固着用窓部９に係止する。このように、工具を用いることなく、分煙板ユニット４を間柱３に取着することができる。
【００１５】
図９〜図11に示すように間柱３は下端に差込み用切欠き14を有する。下間柱取着部材15は切欠き14に差込状とされる鉛直壁16を有する。切欠き14の上下寸法Ｈを、５mm以上10mm以下に設定する。間柱３の着脱を容易に行うことができる。上下寸法Ｈが５mm未満の場合、強度不足となる。上下寸法Ｈが10mmを超える場合、間柱３の着脱の際に手間がかかる。
【００１６】
次に、分煙板ユニット４（図１〜図４参照）を間柱３に一旦取付けた後に、取外す方法について説明する。分煙板ユニット４の設置状態では、図10に示すように、鉛直壁16が切欠き14に差込み状に配設されている。分煙板ユニット４を取外すには、間柱３の上部の孔19（図１・図３・図４参照）に挿通して上間柱取着部材（図示省略）に螺着された固定用ネジ（図示省略）を外した後、間柱３の上部を少し手前へ傾け、図11に矢印Ｃにて示すように、間柱３を上方へ持上げて、切欠き14と鉛直壁16を離間させる。すなわち、分煙板ユニット４と間柱３とが一体となった間柱ユニット17（図４参照）を、取外す。その後、膨出爪部12が固着用窓部９を通過可能とするように、専用工具等にて一対の膨出爪部12（図５〜図８参照）を接近させるように押圧して、固着部６を図７の矢印Ｂと逆方向に移動させることにより、間柱３と分煙板ユニット４を分離する。すなわち、間柱３から分煙板ユニット４を取外す。
【００１７】
なお、本発明は、設計変更可能であって、例えば、補強枠体18を省略するも良い。
【００１８】
以上のように、本発明は、透明な分煙ボード５と、分煙ボード５の上縁に取着された第１前後伸縮部材１と、分煙ボード５の下縁に取着された第２前後伸縮部材２と、第１前後伸縮部材１及び第２前後伸縮部材２の各固着部の後端を上下連結する縦連結部材７と、をもって構成された後付け用分煙板ユニット４を備え、隣り合う遊技台の間に介設された間柱３には、上下方向に差込スリット８が貫設され、かつ、差込スリット８の上端・下端には固着用窓部９が形成され、分煙板ユニット４を間柱３の差込スリット８に前方から差込むと共に固着部６を固着用窓部９に挿入係止して、分煙板ユニット４を間柱３に取付けるように構成したので、間柱３と分煙板ユニット４を別々に容易に梱包することができる。また、設置の際、先に間柱３を取り付け、その間柱３に後から分煙板ユニット４を挿入し取付けるので、軽量でもあり、簡単に取り付けることができ、作業性も良い。すなわち、梱包作業、及び、組立作業を効率的に行うことができ、梱包コスト軽減、及び、作業効率の向上を図ることができる。
【符号の説明】
【００１９】
１  第１前後伸縮部材
２  第２前後伸縮部材
３  間柱
４  （後付け用）分煙板ユニット
５  分煙ボード（分煙板）
６  固着部
７  縦連結部材
８  差込ユニット
９  固着用窓部
【要約】
【課題】簡単に取り付けができ、作業性も良い分煙構造体を提供する。
【解決手段】透明な分煙ボード５と、分煙ボード５の上縁に取着された第１前後伸縮部材１と、分煙ボード５の下縁に取着された第２前後伸縮部材２と、第１前後伸縮部材１及び第２前後伸縮部材２の各固着部６の後端を上下連結する縦連結部材７と、をもって構成された後付け用分煙板ユニット４を備える。隣り合う遊技台の間に介設された間柱３には、上下方向に差込スリット８が貫設される。かつ、差込スリット８の上端・下端には固着用窓部９が形成される。分煙板ユニット４を間柱３の差込スリット８に前方から差込むと共に固着部６を固着用窓部９に挿入係止して、分煙板ユニット４を間柱３に取付けるように構成する。
【選択図】図１【図１】
0005608271.tif 000002
【図２】
0005608271.tif 000003
【図３】
0005608271.tif 000004
【図４】
0005608271.tif 000005
【図５】
0005608271.tif 000006
【図６】
0005608271.tif 000007
【図７】
0005608271.tif 000008
【図８】
0005608271.tif 000009
【図９】
0005608271.tif 000010
【図１０】
0005608271.tif 000011
【図１１】
0005608271.tif 000012